(57)【特許請求の範囲】
【請求項１】
給電装置が、第１のタイプに従ったものであるのか、或いは、第２のタイプに従ったものであるのかを検出するための給電装置タイプ検出方法であって、
第２のタイプに従った給電装置が所定の認証波形の信号を出力するが、第１のタイプに従った給電装置が前記所定の認証波形の信号を出力しないことがわかっている所定のクラスで、検出対象の給電装置を動作させることを試み、それに応じて、前記給電装置が前記所定の認証波形の信号を出力する場合に、前記検出対象の給電装置が前記第２のタイプに従ったものであると判断し、そうでない場合に、前記検出対象の給電装置が前記第１のタイプに従ったものであると判断するステップを有することを特徴とする給電装置タイプ検出方法。
【請求項２】
請求項１に記載の給電装置タイプ検出方法であって、
前記所定のクラスは、前記第１のタイプの給電装置では対応しておらず、前記第２のタイプの給電装置で対応しているものであることを特徴とする給電装置タイプ検出方法。
【請求項３】
請求項１又は２に記載の給電装置タイプ検出方法であって、
当該方法は、前記受電装置により行なわれることを特徴とする給電装置タイプ検出方法。
【請求項４】
請求項３に記載の給電装置タイプ検出方法であって、
前記受電装置の電源回路が内部電源を供給していない状態から当該方法を開始し、
前記判断が終了したならば、前記給電装置と前記受電装置をデフォルトのクラスで接続するために前記受電装置を再起動した上で、判断した前記タイプを表示するステップを更に有することを特徴とする給電装置タイプ検出方法。
【請求項５】
請求項４に記載の給電装置タイプ検出方法であって、
前記表示後にクラスを前記デフォルトのクラスから前記所定のクラスに変更するための入力があったならば、その入力に従って、前記給電装置と前記受電装置を前記所定のクラスで接続するために前記受電装置を再起動するステップを更に有することを特徴とする給電装置タイプ検出方法。
【請求項６】
請求項５に記載の給電装置タイプ検出方法であって、
クラスを前記デフォルトのクラスと前記所定のクラスとの間で変更するための入力があったならば、その入力に従って、前記給電装置と前記受電装置を前記入力に従ったクラスで接続するために前記受電装置を再起動するステップを更に有することを特徴とする給電装置タイプ検出方法。
【請求項７】
請求項４乃至６の何れか１に記載の給電装置タイプ検出方法であって、
前記再起動は、前記給電装置から前記受電装置への供給電流についての過電流を発生させ、該過電流を前記給電装置に検出させ、該再起動時に前記受電装置から前記給電装置に対してクラスを指定することを含むことを特徴とする給電装置タイプ検出方法。
【請求項８】
給電装置が、第１のタイプに従ったものであるのか、或いは、第２のタイプに従ったものであるのかを検出するための給電装置タイプ検出装置であって、
第２のタイプに従った給電装置が所定の認証波形の信号を出力するが、第１のタイプに従った給電装置が前記所定の認証波形の信号を出力しないことがわかっている所定のクラスで、検出対象の給電装置を動作させることを試み、それに応じて、前記給電装置が前記所定の認証波形の信号を出力する場合に、前記検出対象の給電装置が前記第２のタイプに従ったものであると判断し、そうでない場合に、前記検出対象の給電装置が前記第１のタイプに従ったものであると判断するための手段を備えることを特徴とする給電装置タイプ検出装置。
【請求項９】
給電装置が、第１のタイプに従ったものであるのか、或いは、第２のタイプに従ったものであるのかを検出するための給電装置タイプ検出方法をコンピュータに実行させるための給電装置タイプ検出用プログラムであって、
当該方法は、
第２のタイプに従った給電装置が所定の認証波形の信号を出力するが、第１のタイプに従った給電装置が前記所定の認証波形の信号を出力しないことがわかっている所定のクラスで、検出対象の給電装置を動作させることを試み、それに応じて、前記給電装置が前記所定の認証波形の信号を出力する場合に、前記検出対象の給電装置が前記第２のタイプに従ったものであると判断し、そうでない場合に、前記検出対象の給電装置が前記第１のタイプに従ったものであると判断するステップを有することを特徴とする給電装置タイプ検出用プログラム。
【発明の詳細な説明】
【技術分野】
【０００１】
本発明は、給電装置のタイプを検出するための給電装置タイプ検出方法、給電装置タイプ検出装置及び給電装置タイプ検出用プログラムに関し、特に、ＰｏＥ（パワー・オーバー・イーサネット）規格（イーサネットは登録商標）に従った給電装置のタイプを検出するための給電装置タイプ検出方法、給電装置タイプ検出装置及び給電装置タイプ検出用プログラムに関する。
【背景技術】
【０００２】
ＬＡＮ配線を介して、給電装置（ＰＳＥ）から受電装置（ＰＤ）へ電力を供給するＰｏＥの規格として、旧規格であるＩＥＥＥ８０２．３ａｆと新規格であるＩＥＥＥ８０２．３ａｔとが存在する。給電クラスとして、新規格では、旧規格に比し、給電電力の大きいＴｙｐｅ２／Ｃｌａｓｓ４（タイプ２／クラス４）が追加されている。
【０００３】
ＩＥＥＥ８０２．３ａｆに従った給電装置は、Ｔｙｐｅ１（タイプ１）の給電装置といい、ＩＥＥＥ８０２．３ａｔに従った給電装置は、Ｔｙｐｅ２（タイプ２）の給電装置という。Ｔｙｐｅ１では、給電Ｃｌａｓｓ（クラス）として、Ｃｌａｓｓ１〜３（クラス１〜３）が規定されており、Ｔｙｐｅ２では、給電Ｃｌａｓｓとして、Ｃｌａｓｓ１〜４が規定されている。従って、Ｃｌａｓｓ４は、Ｔｙｐｅ２のみのＣｌａｓｓである。
【先行技術文献】
【特許文献】
【０００４】
【特許文献１】特開２００９−３３３９５号公報
【特許文献２】特開２００９−４４９０７号公報
【発明の概要】
【発明が解決しようとする課題】
【０００５】
従来のＩＥＥＥ８０２．３ａｔに準拠した受電装置において、デフォルトの給電クラスを０〜３に設定すると、給電装置のタイプを受電装置が正確に認識できないという状況にある。
【０００６】
これは使用者が給電クラスをＴｙｐｅ２／Ｃｌａｓｓ４の電力に増やそうとした場合、給電装置がＴｙｐｅ２に対応しているかどうか容易に知ることができないということである。
【０００７】
実際、スイッチングＨＵＢなどのＰＳＥ機器は、ＩＰ電話機などのＰＤ機器を使用している使用者からは通常見えないものであり、給電装置のタイプ確認は現実的に困難である。
【０００８】
すなわち、Ｔｙｐｅ２の給電装置は、ＩＥＥＥ８０２．３ａｔ規格により受電装置の給電クラスが０〜３の場合、Ｔｙｐｅ２の検出波形出力を省略しＴｙｐｅ１の検出波形のみ出力することが許されている。
【０００９】
このため、受電装置の給電クラスがｃｌａｓｓ０〜３に設定されていると、Ｔｙｐｅ２の給電装置に接続した場合、受電装置は、給電装置がＴｙｐｅ２であるということを確実に認識することが出来ない。
【００１０】
これにより、受電装置側の機器の使用状況などにより消費電力を増やしたい（給電クラスを変更したい）場合、給電装置のタイプ（Ｔｙｐｅ１／２）について仕様を確認する等の煩わしい作業が必要となる。
【００１１】
本発明の目的は、受電装置の使用者が使用環境に合わせて容易に供給電力を確認し変更できるように、受電装置自身が、給電装置のタイプを認識し、表示することを可能とする給電装置タイプ検出方法、給電装置タイプ検出装置及び給電装置タイプ検出用プログラムを提供することにある。
【課題を解決するための手段】
【００１２】
本発明によれば、給電装置が、第１のタイプに従ったものであるのか、或いは、第２のタイプに従ったものであるのかを検出するための給電装置タイプ検出方法であって、第２のタイプに従った給電装置が所定の認証波形の信号を出力するが、第１のタイプに従った給電装置が前記所定の認証波形の信号を出力しないことがわかっている所定のクラスで、検出対象の給電装置を動作させることを試み、それに応じて、前記給電装置が前記所定の認証波形の信号を出力する場合に、前記検出対象の給電装置が前記第２のタイプに従ったものであると判断し、そうでない場合に、前記検出対象の給電装置が前記第１のタイプに従ったものであると判断するステップを有することを特徴とする給電装置タイプ検出方法が提供される。
【００１３】
また、本発明によれば、給電装置が、第１のタイプに従ったものであるのか、或いは、第２のタイプに従ったものであるのかを検出するための給電装置タイプ検出装置であって、第２のタイプに従った給電装置が所定の認証波形の信号を出力するが、第１のタイプに従った給電装置が前記所定の認証波形の信号を出力しないことがわかっている所定のクラスで、検出対象の給電装置を動作させることを試み、それに応じて、前記給電装置が前記所定の認証波形の信号を出力する場合に、前記検出対象の給電装置が前記第２のタイプに従ったものであると判断し、そうでない場合に、前記検出対象の給電装置が前記第１のタイプに従ったものであると判断するための手段を備えることを特徴とする給電装置タイプ検出装置が提供される。
【００１４】
更に、本発明によれば、給電装置が、第１のタイプに従ったものであるのか、或いは、第２のタイプに従ったものであるのかを検出するための給電装置タイプ検出方法をコンピュータに実行させるための給電装置タイプ検出用プログラムであって、当該方法は、第２のタイプに従った給電装置が所定の認証波形の信号を出力するが、第１のタイプに従った給電装置が前記所定の認証波形の信号を出力しないことがわかっている所定のクラスで、検出対象の給電装置を動作させることを試み、それに応じて、前記給電装置が前記所定の認証波形の信号を出力する場合に、前記検出対象の給電装置が前記第２のタイプに従ったものであると判断し、そうでない場合に、前記検出対象の給電装置が前記第１のタイプに従ったものであると判断するステップを有することを特徴とする給電装置タイプ検出用プログラムが提供される。
【発明の効果】
【００１５】
本発明によれば、受電装置自身が、給電装置のタイプを認識し、表示することが可能となる。
【図面の簡単な説明】
【００１６】
【図１】本発明の実施形態による受電装置の構成と給電装置を示す概念図である。
【図２】本発明の実施形態による受電装置により行なわれる給電装置タイプ検出方法の動作を説明するためのフローチャートである。
【発明を実施するための形態】
【００１７】
以下、図面を参照して本発明を実施するための形態について詳細に説明する。
【００１８】
本実施形態は、ＩＥＥＥ８０２．３ａｔに対応しており、且つ通常状態の給電クラス（Ｄｅｆａｕｌｔ  Ｃｌａｓｓ）がｃｌａｓｓ０〜３の受電装置において、給電装置がＩＥＥＥ８０２．３ａｆに対応したものであるのか、或いは、ＩＥＥＥ８０２．３ａｔに対応しているものであるのか、すなわち、Ｔｙｐｅ１のものであるのか、或いは、Ｔｙｐｅ２のものであるのかを受電装置側が判別できるようにしたことを特徴としている。
【００１９】
受電装置は、給電装置から出される認証波形を検出し、その波形から給電装置のタイプ（Ｔｙｐｅ１／２）を判別する。
【００２０】
このとき、受電装置における認証クラスとしては、ｃｌａｓｓ４を設定しておく。
【００２１】
ＩＥＥＥ８０２．３ａｔ規格において給電装置がＴｙｐｅ２の場合、受電装置をｃｌａｓｓ４に設定することで、給電装置からＴｙｐｅ２の認証波形が出力される。
【００２２】
受電装置がｃｌａｓｓ０〜３に設定されていると、Ｔｙｐｅ２の給電装置はＴｙｐｅ１の検出波形しか出さない可能性があり、正確に給電装置のタイプ（Ｔｙｐｅ１／２）判別がされない。
【００２３】
受電装置は、判別した給電装置のタイプから最大供給電力を認識し、その後、通常状態の給電クラスを設定する。
【００２４】
受電装置は通常状態の給電クラス設定後、給電装置との接続を一旦切断する。その後再接続を行い、通常状態の給電クラスで受電を開始する。
【００２５】
このようにして、本実施形態では、給電装置のタイプを判別することができる。
【００２６】
まず、ＩＥＥＥ８０２．３ａｆに準拠した受電装置及び給電装置はＴｙｐｅ１である。また、ＩＥＥＥ８０２．３ａｔに対応した受電装置及び給電装置はＴｙｐｅ２である。
【００２７】
Ｔｙｐｅ２の受電装置は、Ｔｙｐｅ１の給電装置と、Ｔｙｐｅ２の給電装置とのどちらからでもＬＡＮケーブル経由で給電を受けることができる。
【００２８】
Ｔｙｐｅ１の給電装置からは最大で１２．９５Ｗ、Ｔｙｐｅ２の給電装置からは最大で２５．５Ｗの電力が供給される。２５．５Ｗの電力供給は、Ｔｙｐｅ１にはなく、Ｔｙｐｅ２にあるＣｌａｓｓ４で行なわれる。
【００２９】
受電装置は、自身が消費する電力にあわせ電力クラスを設定することができる。電力クラスは受電装置に含まれるＰｏＥ  ＩＦコントローラ３３の外付の抵抗値によって設定される。
【００３０】
電力クラスは、Ｔｙｐｅ２の受電装置でＣｌａｓｓ０〜４の設定が可能である。
【００３１】
受電装置と給電装置を接続すると、お互いの認証（Ｔｙｐｅ／クラス判別）が行われ、その後給電が開始される。
【００３２】
しかし、Ｔｙｐｅ２の受電装置において電力クラス設定がＣｌａｓｓ３以下の場合、給電装置がＴｙｐｅ２だとしてもＴｙｐｅ１として動作する可能性がある。
【００３３】
そのため、給電装置のＴｙｐｅを正しく判別するための処理が必要となる。
【００３４】
まず、Ｔｙｐｅ２の受電装置は初期状態でクラス認証用抵抗をＣｌａｓｓ４の抵抗値に設定しておく。この状態で給電装置に接続し、給電装置のＴｙｐｅを読み取る。
【００３５】
読み取ったＴｙｐｅ情報をバッテリー回路３５であるバッテリー電源で駆動している演算部２４で保持する。次に再接続を行うが、その際主電源が落ちてしまうためデータ保持にはバッテリー電源が必要である。
【００３６】
さらに演算部２４により、クラス認証用抵抗（外付け抵抗）を任意のデフォルトクラス（Ｃｌａｓｓ≠４、Ｃｌａｓｓ＝１、２又は３）の抵抗値に変更する。
【００３７】
設定が完了したら一旦ＰｏＥ給電を切断し、その後再接続を行う。
【００３８】
再接続後の認証では、電力クラスはデフォルトクラスとなり電力が供給される。
【００３９】
ＰｏＥ電源で駆動している制御部２３は、演算部２４に保持していたＰＳＥ  Ｔｙｐｅを読み込み、結果を表示部２５等に出力する。
【００４０】
使用状況が変わり１２．９５Ｗ以上の電力が必要となった場合、使用者はＰＳＥ  Ｔｙｐｅを表示部２５等で確認し、電力を増やせるかどうか確認する。
【００４１】
給電装置１１がＴｙｐｅ２で電力が増やせるならば、使用者は操作ボタンなどで電力クラスの設定を変更する。
【００４２】
制御部２３は、外部入力部（操作ボタンなど）２６から電力クラスの変更が入力されると、演算部２４へクラス認証用抵抗の値をＣｌａｓｓ４に設定するよう指示を出す。
【００４３】
演算部２４は抵抗値を変更した後、ＰｏＥ給電を一旦切断し、その後再接続を行う。
【００４４】
再接続後の認証では、電力クラスはＣｌａｓｓ４となり、最大電力が２５．５Ｗとなる。
【００４５】
図１は本発明に関わる受電装置の構成の要部を示したものである。
【００４６】
図１において、受電装置１２は、ＬＡＮケーブル接続用ＬＡＮコネクタ２１と、ＬＡＮ  ＩＦ回路２２と、制御部２３と、演算部２４と、表示部２５と、外部入力部２６と、認証制御用回路２７〜３２と、ＰｏＥ  ＩＦコントローラ３３と、電源回路３４と、バッテリー回路３５を含む。
【００４７】
認証制御用回路２７〜３２は、ＰｏＥ切断用抵抗２７及びトランジスタ２８と、クラス認証用抵抗３１、２９及びトランジスタ３２、３０を含む。
【００４８】
ＬＡＮコネクタ２１は、ＬＡＮケーブル接続用コネクタである。
【００４９】
ＬＡＮ  ＩＦ回路２２は、ＬＡＮコネクタ２１と制御部２３、ＰｏＥ  ＩＦコントローラ３３間のインターフェース回路である。
【００５０】
制御部２３は、ＰｏＥ  ＩＦコントローラ３３及び外部入力部２６からの出力を受ける入力部と、表示部２５へ結果を出力する出力部と、演算部２４とのデータやり取りを行う入出力部を含む。
【００５１】
演算部２４は、電源回路３４の出力である内部電源Ｖｄｄを監視する入力部と、ＰｏＥ切断用トランジスタ２８及び抵抗値変更用トランジスタ３０、３２を制御する出力部と、制御部２３とのデータやり取りを行う入出力部と、１ｂｉｔカウンタ、１ｂｉｔバッファを含む。
【００５２】
表示部２５は、制御部２３からの出力に応じ結果を表示するＬＥＤやＬＣＤ等の表示装置である。
【００５３】
外部入力部２６は、使用者が入力のために使用するボタンやタッチパネル等の入力装置である。
【００５４】
ＰｏＥ切断用抵抗２７及びトランジスタ２８は、ＰｏＥ給電を切断するために意図的に過電流を流すための回路である。具体的には、トランジスタ２８がＯＦＦで、ＰｏＥ給電が継続され、トランジスタ２８がＯＮで、過電流を検出した給電装置１１側からＰｏＥ給電が切断される。
【００５５】
クラス認証用抵抗３１及びトランジスタ３２は、クラス認証用抵抗をＣｌａｓｓ４に設定するための回路である。クラス認証用抵抗２９及びトランジスタ３０は、クラス認証用抵抗をデフォルトクラス（任意）に設定するための回路である。具体的には、トランジスタ３２がＯＮ、トランジスタ３０がＯＦＦで、Ｃｌａｓｓ＝Ｃｌａｓｓ４となる。また、トランジスタ３２がＯＦＦ、トランジスタ３０がＯＮで、Ｃｌａｓｓ＝Ｄｅｆａｕｌｔ  Ｃｌａｓｓとなる。
【００５６】
ＰｏＥ  ＩＦコントローラ３３は、ＩＥＥＥ８０２．３ａｔ認証を制御し、ＰＳＥ  Ｔｙｐｅ判定結果を出力する標準的なＩＣ、またはこれと同等の回路である。
【００５７】
電源回路３４は、ＰｏＥ  ＩＦコントローラ３３から供給される４８Ｖを基に、制御部２３等の回路に供給する内部電源Vｄｄを生成する電源装置、または回路である。
【００５８】
バッテリー回路３５は、演算部２４へ電源Ｖｂａｔを供給するバッテリーなどの電源装置、または回路であり、ＰｏＥ電源の状態とは無関係に電力供給を行う。
【００５９】
以上詳細に実施形態の構成を述べたが、図１の給電装置１１と、ＬＡＮ  ＩＦ回路２２と、ＰｏＥ  ＩＦコントローラ３３と、電源回路３４と、バッテリー回路３５は、当業者にとってよく知られており、また本発明とは直接関係しないので、その詳細な構成は省略する。
【００６０】
次に図１の実施形態の動作を図２に示すフローチャートを参照して説明する。
【００６１】
まず、バッテリー回路３５の電源を入れ、演算部２４を起動させる（ステップＳ１０１）。
【００６２】
演算部２４は内部電源Ｖｄｄを監視し、これが０Ｖになっているかどうか判断する（ステップＳ１０３）。ここで、初期状態ではＬＡＮケーブルが接続されていないのでＰｏＥ給電はされておらず、従って、ＰｏＥ給電を基に生成される内部電源Ｖｄｄは、必ず０Ｖになっている。
【００６３】
内部電源Ｖｄｄが０Ｖであると（ステップＳ１０３でＹＥＳ）、演算部２４は出力信号Ｃｌａｓｓ４を１に設定し、内部カウンタを０に設定する（ステップＳ１０５）。また、同時に、出力信号Ｃｌａｓｓ４の反転出力信号である出力信号Ｃｌａｓｓ４＿Ｂを０に設定する。こうすることにより、トランジスタ３２がＯＮとなり、トランジスタ３０がＯＦＦとなり、ＰｏＥ  ＩＦコントローラ３３の外付け抵抗の値が抵抗３１の値となる。この抵抗値は、ＣｌａｓｓをＣｌａｓｓ４に設定するための値に設定されているため、次回にＰｏＥ  ＩＦコントローラ３３を再起動して、給電装置１１との間で認証をする際に、給電装置１１に対してＣｌａｓｓ４で動作するように要求することとなる。給電装置１１がＴｙｐｅ２であり、従って、Ｃｌａｓｓ４に対応しているものであれば、給電装置１１は、Ｃｌａｓｓ４で動作し、Ｔｙｐｅ２の認証波形を出力するようになる。他方、給電装置１１がＴｙｐｅ１であり、従って、Ｃｌａｓｓ４に対応していないものであれば、給電装置１１は、Ｃｌａｓｓ０で動作し、また、Ｔｙｐｅ２の認証波形は出力しない。
【００６４】
内部カウンタは、値が０である時に、現在、給電装置１１のタイプを判定している最中であることを示し、値が１である時に、現在、給電装置１１のタイプの判定は既に終了していることを示す。
【００６５】
次に、ユーザが、ＬＡＮケーブルで給電装置１１と受電装置１２が接続されるまで待つ（ステップＳ１０７）。通常は、給電装置１１は、定常的にＬＡＮケーブルに接続されているため、ＬＡＮケーブルと受電装置１２とを接続することにより、給電装置１１と受電装置１２とを接続することとなる。
【００６６】
次に、給電装置１１と受電装置１２間で認証が行われる（ステップＳ１０９）。給電装置がＴｙｐｅ２であれば、給電装置１１から受電装置１２に対してＣｌａｓｓ４でＰｏＥ給電が開始される。給電装置がＴｙｐｅ１であれば、給電装置１１から受電装置１２に対してＣｌａｓｓ０でＰｏＥ給電が開始される。
【００６７】
次に、ＬＡＮ  ＩＦ回路２２からＰｏＥ  ＩＦコントローラ３３等に対してＰｏＥ＋電源が供給され、ＰｏＥ  ＩＦコントローラ３３から電源回路３４に対して＋４８Ｖが供給され、電源回路３４から内部Ｖｄｄが出力される。これにより、内部Ｖｄｄを電源とする制御部２３が起動される（ステップＳ１１１）。
【００６８】
次に、制御部２３、は演算部２４より内部カウンタの値を読み込む。内部カウンタの値は、ステップＳ１０５で０にされたままとなっている。
【００６９】
次に、制御部２３は、読み込んだ内部カウンタの値が０であるか否かを判断する（ステップＳ１１５）。内部カウンタの値が０であるので（ステップＳ１１５でＹＥＳ）、制御部２３は、ステップＳ１１７に進み、ＰｏＥ  ＩＦコントローラ３３から出力されているＴｙｐｅ判別信号を読み込む。上述したように、給電装置がＴｙｐｅ２であれば、給電装置１１から受電装置１２に対してＣｌａｓｓ４でＰｏＥ給電が開始される。給電装置がＴｙｐｅ１であれば、給電装置１１から受電装置１２に対してＣｌａｓｓ０でＰｏＥ給電が開始される。そして、上述したように、Ｃｌａｓｓ４で動作している給電装置１１は、Ｔｙｐｅ２の認証波形を出力する。従って、ＰｏＥ  ＩＦコントローラ３３は、Ｔｙｐｅ２の認証波形の有無により、給電装置１１がＴｙｐｅ１のものであるのか、或いは、Ｔｙｐｅ２のものであるのかを判別することができる。従って、この時点のステップＳ１１７において、制御部２３が、ＰｏＥ  ＩＦコントローラ３３から読み込むＴｙｐｅ判別信号は、給電装置１１がＴｙｐｅ１のものであるのか、或いは、Ｔｙｐｅ２のものであるのかを正しく表していることとなる。制御部２３は、Ｔｙｐｅを判別し、判別したＴｙｐｅを演算部２４へ出力する。
【００７０】
演算部２４は、制御部２３から出力されているＴｙｐｅ判別結果の情報を内部バッファに保持し、内部カウンタの値を１に変更する（ステップＳ１１９）。
【００７１】
次に、演算部２４は出力信号Ｃｌａｓｓ４を０に設定し、出力信号Ｃｌａｓｓ４＿Ｂを１に設定する（ステップＳ１２１）。これにより、トランジスタ３０がＯＮになり、トランジスタ３２がＯＦＦになり、ＰｏＥ  ＩＦコントローラ３３の外付け抵抗の値が抵抗２９と抵抗３１との直列の値となる。この直列の抵抗値は、Ｃｌａｓｓをｄｅｆａｕｌｔ  Ｃｌａｓｓ（Ｃｌａｓｓ１からＣｌａｓｓ３のうちの何れかのクラス）に設定するための値に設定されているため、次回にＰｏＥ  ＩＦコントローラ３３を再起動した場合、給電装置１１に対してＤｅｆａｕｌｔ  Ｃｌａｓｓで動作するように要求することとなる。
【００７２】
次に、演算部２４は、出力信号ＲＥＳＥＴを１に設定する（ステップＳ１２３）。これによりトランジスタ２８はＯＮとなり、ＬＡＮ  ＩＦ回路２２のＰｏＥ＋端子とＰｏＥ−端子との間のインピーダンスは、低抵抗２７の値とほぼ等しくなり、ＰｏＥ＋端子とＰｏＥ−端子との間に低抵抗２７を介して過電流が流れる。給電装置１１は、この過電流を検知し、検知してから約１ミリ秒後にＰｏＥ給電を切断する。
【００７３】
次に、演算部２４は、ＰｏＥが切断されるのに十分な時間（＞＞１ｍｓ）の後、出力信号ＲＥＳＥＴを０に戻す（ステップＳ１２４）。これにより、ＰｏＥ給電が再開されても、ＰｏＥ＋端子とＰｏＥ−端子との間に低抵抗２７を介して過電流が流れないようになる。
【００７４】
次に、ステップ１０９に戻り、給電装置１１と受電装置１２間で認証が行われる。給電装置１１から受電装置１２に対してＤｅｆａｕｌｔ  ＣｌａｓｓでＰｏＥ給電が開始される。
【００７５】
次に、ＬＡＮ  ＩＦ回路２２からＰｏＥ  ＩＦコントローラ３３等に対してＰｏＥ＋電源が供給され、ＰｏＥ  ＩＦコントローラ３３から電源回路３４に対して＋４８Ｖが供給され、電源回路３４から内部電源Ｖｄｄが出力される。これにより、内部電源Ｖｄｄを電源とする制御部２３が起動される（ステップＳ１１１）。
【００７６】
次に、制御部２３は、演算部２４より内部カウンタの値を読み込む。内部カウンタの値は、ステップＳ１１９で１にされている。
【００７７】
次に、制御部２３は、読み込んだ内部カウンタの値が０であるか否かを判断する（ステップＳ１１５）。内部カウンタの値が１であるので（ステップＳ１１５でＮＯ）、ステップＳ１２５に進む。
【００７８】
ステップＳ１２５では、制御部２３は、演算部２４が、ステップＳ１１９以降、内部バッファに保持しているＴｙｐｅ判別結果を演算部２４から読み込み、また、出力信号Ｃｌａｓｓ４の値を演算部２４から読み込む。なお、演算部２４は、出力信号の値を読み込める構成をとっている。ここで、Ｔｙｐｅ判別結果の値は、Ｔｙｐｅ１又はＴｙｐｅ２である。そして、Ｃｌａｓｓ４の値は、０である。すなわち、Ｃｌａｓｓ４の値は、現在のＣｌａｓｓがＤｅｆａｕｌｔ  Ｃｌａｓｓであることを示している。
【００７９】
次に、制御部２３は、読み込んだＴｙｐｅ判別結果とＣｌａｓｓ４の値に基づいて、給電装置１１のＴｙｐｅ及び現在の給電クラス（すなわち、Ｄｅｆａｕｌｔ  Ｃｌａｓｓ）を表示部２５に表示させる（ステップＳ１２７）。
【００８０】
次に制御部２３は、外部入力部２６からの入力を待つ（ステップＳ１２９）。また、制御部２３は、演算部２４に内部電源Ｖｄｄの監視をスタートするよう指示する（ステップＳ１３１）。演算部２４は、内部電源Ｖｄｄが０Ｖになるか、制御部から監視ＳＴＯＰの指示があるまで監視を続ける。
【００８１】
内部電源Ｖｄｄが０Ｖになったら（ステップＳ１３１でＹＥＳ）、ステップＳ１０５からの動作を再開する。
【００８２】
外部入力部２６からＣｌａｓｓ変更の入力があった場合（ステップＳ１２９でＹＥＳ）、制御部２３は、外部入力結果を演算部２４へ出力し、演算部２４に対して内部電源Ｖｄｄ監視ＳＴＯＰの指示を出す（ステップＳ１３３）。
【００８３】
次に、演算部２４は、制御部２３から外部入力結果を読み込み、出力信号Ｃｌａｓｓ４の値及び出力信号Ｃｌａｓｓ４＿Ｂの値を、外部入力結果に従った値に設定する（ステップＳ１３５）。外部入力結果が、Ｃｌａｓｓ４を指定しているのであれば、出力信号Ｃｌａｓｓ４の値及び出力信号Ｃｌａｓｓ４＿Ｂの値を、それぞれ、１、０にする。他方、外部入力結果が、Ｄｅｆａｕｌｔ  Ｃｌａｓｓを指定しているのであれば、出力信号Ｃｌａｓｓ４の値及び出力信号Ｃｌａｓｓ４＿Ｂの値を、それぞれ、０、１にする。
【００８４】
ここで、給電装置１１のＴｙｐｅをステップ１２７で表示部２５に表示しているので、通常であれば、ユーザは、給電装置１１がＴｙｐｅ２のものである場合に限り、ＣｌａｓｓをＤｅｆａｕｌｔ  ＣｌａｓｓからＣｌａｓｓ４に変更するための外部入力をする。
【００８５】
給電装置１１がＴｙｐｅ２のものであり、外部入力結果がＣｌａｓｓ４を指定している場合には、ステップＳ１２３、Ｓ１２４を行い、更に、ステップＳ１０９以降のステップを行ない、それにより、受電装置１２は、Ｃｌａｓｓ４の電源供給をＴｙｐｅ２の給電装置１１から受けることとなる。そして、分岐Ｓ１１５からはステップＳ１２５に進み、ステップＳ１２５では、Ｔｙｐｅ判別結果としてＴｙｐｅ２を読み込み、Ｃｌａｓｓ４として１を読み込み、ステップ１２７では、ＴｙｐｅとしてＴｙｐｅ２を表示し、ＣｌａｓｓとしてＣｌａｓｓ４を表示する。
【００８６】
この後、ＣｌａｓｓをＤｅｆａｕｌｔ  Ｃｌａｓｓに戻すための外部入力があったならば、ステップＳ１３５で出力信号Ｃｌａｓｓ４の値及び出力信号Ｃｌａｓｓ４＿Ｂの値を、それぞれ、０、１にして、ステップＳ１２３、Ｓ１２４を行い、更に、ステップＳ１０９以降のステップを行なうことにより、受電装置１２は、Ｄｅｆａｕｌｔ  Ｃｌａｓｓの電源供給をＴｙｐｅ２の給電装置１１から受けることとなる。そして、分岐Ｓ１１５からはステップＳ１２５に進み、ステップＳ１２５では、Ｔｙｐｅ判別結果としてＴｙｐｅ１を読み込み、Ｃｌａｓｓ４として０を読み込み、ステップ１２７では、ＴｙｐｅとしてＴｙｐｅ２を表示し、ＣｌａｓｓとしてＤｅｆａｕｌｔ  Ｃｌａｓｓを表示する。
【００８７】
給電装置１１がＴｙｐｅ１のものであり、外部入力結果がＣｌａｓｓ４を指定している場合には、給電装置１１は、指定通りにＣｌａｓｓ４の給電を行なうことができないので、受電装置１２は、これを回避するために、エラー処理を行なうが、これについての詳細な説明は省略する。なお、エラー処理をしない場合には、給電装置１１は、Ｃｌａｓｓ０の給電をすることとなる。
【００８８】
以上説明したように、本実施形態においては、以下に記載するような効果を奏する。
【００８９】
第１の効果は、給電装置のタイプを、受電装置が設定されているクラスによらず確実に判別できることである。
【００９０】
第２の効果は、判別した給電装置のタイプを、使用者が容易に確認できることである。
【００９１】
第３の効果は、使用者が確認した結果から、ボタン操作等の単純な作業で供給電力を容易に変更できることである。
【００９２】
なお、上記の給電装置タイプ検出装置は、ハードウェア、ソフトウェア又はこれらの組合わせにより実現することができる。また、上記の給電装置タイプ検出装置その他装置などにより行なわれる給電装置タイプ検出方法も、ハードウェア、ソフトウェア又はこれらの組合わせにより実現することができる。ここで、ソフトウェアによって実現されるとは、コンピュータがプログラムを読み込んで実行することにより実現されることを意味する。
【００９３】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９４】
上記の実施形態の一部又は全部は、以下の付記のようにも記載されうるが、以下には限られない。
【００９５】
（付記１）
給電装置が、第１のタイプに従ったものであるのか、或いは、第２のタイプに従ったものであるのかを検出するための給電装置タイプ検出方法であって、
第２のタイプに従った給電装置が所定の認証波形の信号を出力するが、第１のタイプに従った給電装置が前記所定の認証波形の信号を出力しないことがわかっている所定のクラスで、検出対象の給電装置を動作させることを試み、それに応じて、前記給電装置が前記所定の認証波形の信号を出力する場合に、前記検出対象の給電装置が前記第２のタイプに従ったものであると判断し、そうでない場合に、前記検出対象の給電装置が前記第１のタイプに従ったものであると判断するステップを有することを特徴とする給電装置タイプ検出方法。
【００９６】
（付記２）
付記１に記載の給電装置タイプ検出方法であって、
前記所定のクラスは、前記第１のタイプの給電装置では対応しておらず、前記第２のタイプの給電装置で対応しているものであることを特徴とする給電装置タイプ検出方法。
【００９７】
（付記３）
付記１又は２に記載の給電装置タイプ検出方法であって、
当該方法は、前記受電装置により行なわれることを特徴とする給電装置タイプ検出方法。
【００９８】
（付記４）
付記３に記載の給電装置タイプ検出方法であって、
前記受電装置の電源回路が内部電源を供給していない状態から当該方法を開始し、
前記判断が終了したならば、前記給電装置と前記受電装置をデフォルトのクラスで接続するために前記受電装置を再起動した上で、判断した前記タイプを表示するステップを更に有することを特徴とする給電装置タイプ検出方法。
【００９９】
（付記５）
付記４に記載の給電装置タイプ検出方法であって、
前記表示後にクラスを前記デフォルトのクラスから前記所定のクラスに変更するための入力があったならば、その入力に従って、前記給電装置と前記受電装置を前記所定のクラスで接続するために前記受電装置を再起動するステップを更に有することを特徴とする給電装置タイプ検出方法。
【０１００】
（付記６）
付記５に記載の給電装置タイプ検出方法であって、
クラスを前記デフォルトのクラスと前記所定のクラスとの間で変更するための入力があったならば、その入力に従って、前記給電装置と前記受電装置を前記入力に従ったクラスで接続するために前記受電装置を再起動するステップを更に有することを特徴とする給電装置タイプ検出方法。
【０１０１】
（付記７）
付記４乃至６の何れか１に記載の給電装置タイプ検出方法であって、
前記再起動は、前記給電装置から前記受電装置への供給電流についての過電流を発生させ、該過電流を前記給電装置に検出させ、該再起動時に前記受電装置から前記給電装置に対してクラスを指定することを含むことを特徴とする給電装置タイプ検出方法。
【０１０２】
（付記８）
給電装置が、第１のタイプに従ったものであるのか、或いは、第２のタイプに従ったものであるのかを検出するための給電装置タイプ検出装置であって、
第２のタイプに従った給電装置が所定の認証波形の信号を出力するが、第１のタイプに従った給電装置が前記所定の認証波形の信号を出力しないことがわかっている所定のクラスで、検出対象の給電装置を動作させることを試み、それに応じて、前記給電装置が前記所定の認証波形の信号を出力する場合に、前記検出対象の給電装置が前記第２のタイプに従ったものであると判断し、そうでない場合に、前記検出対象の給電装置が前記第１のタイプに従ったものであると判断するための手段を備えることを特徴とする給電装置タイプ検出装置。
【０１０３】
（付記９）
付記８に記載の給電装置タイプ検出装置であって、
前記所定のクラスは、前記第１のタイプの給電装置では対応しておらず、前記第２のタイプの給電装置で対応しているものであることを特徴とする給電装置タイプ検出装置。
【０１０４】
（付記１０）
付記８又は９に記載の給電装置タイプ検出装置であって、
前記受電装置に含まれることを特徴とする給電装置タイプ検出装置。
【０１０５】
（付記１１）
付記１０に記載の給電装置タイプ検出装置であって、
前記受電装置の電源回路が内部電源を供給していない状態から当該装置は起動され、
前記判断が終了したならば、前記給電装置と前記受電装置をデフォルトのクラスで接続するために前記受電装置を再起動した上で、判断した前記タイプを表示するための手段を更に備えることを特徴とする給電装置タイプ検出装置。
【０１０６】
（付記１２）
付記１１に記載の給電装置タイプ検出装置であって、
前記表示後にクラスを前記デフォルトのクラスから前記所定のクラスに変更するための入力があったならば、その入力に従って、前記給電装置と前記受電装置を前記所定のクラスで接続するために前記受電装置を再起動するための手段を更に備えることを特徴とする給電装置タイプ検出装置。
【０１０７】
（付記１３）
付記１２に記載の給電装置タイプ検出装置であって、
クラスを前記デフォルトのクラスと前記所定のクラスとの間で変更するための入力があったならば、その入力に従って、前記給電装置と前記受電装置を前記入力に従ったクラスで接続するために前記受電装置を再起動するための手段を更に有することを特徴とする給電装置タイプ検出装置。
【０１０８】
（付記１４）
付記１１乃至１３の何れか１に記載の給電装置タイプ検出装置であって、
前記再起動の際に、前記給電装置から前記受電装置への供給電流についての過電流を発生させ、該過電流を前記給電装置に検出させ、該再起動時に前記受電装置から前記給電装置に対してクラスを指定するための手段を更に備えることを特徴とする給電装置タイプ検出装置。
【０１０９】
（付記１５）
給電装置が、第１のタイプに従ったものであるのか、或いは、第２のタイプに従ったものであるのかを検出するための給電装置タイプ検出方法をコンピュータに実行させるための給電装置タイプ検出用プログラムであって、
当該方法は、
第２のタイプに従った給電装置が所定の認証波形の信号を出力するが、第１のタイプに従った給電装置が前記所定の認証波形の信号を出力しないことがわかっている所定のクラスで、検出対象の給電装置を動作させることを試み、それに応じて、前記給電装置が前記所定の認証波形の信号を出力する場合に、前記検出対象の給電装置が前記第２のタイプに従ったものであると判断し、そうでない場合に、前記検出対象の給電装置が前記第１のタイプに従ったものであると判断するステップを有することを特徴とする給電装置タイプ検出用プログラム。
【０１１０】
（付記１６）
付記１５に記載の給電装置タイプ検出用プログラムであって、
前記所定のクラスは、前記第１のタイプの給電装置では対応しておらず、前記第２のタイプの給電装置で対応しているものであることを特徴とする給電装置タイプ検出用プログラム。
【０１１１】
（付記１７）
付記１５又は１６に記載の給電装置タイプ検出用プログラムであって、
当該方法は、前記受電装置により行なわれることを特徴とする給電装置タイプ検出用プログラム。
【０１１２】
（付記１８）
付記１７に記載の給電装置タイプ検出用プログラムであって、
前記受電装置の電源回路が内部電源を供給していない状態から当該方法を開始し、
当該方法は、前記判断が終了したならば、前記給電装置と前記受電装置をデフォルトのクラスで接続するために前記受電装置を再起動した上で、判断した前記タイプを表示するステップを更に有することを特徴とする給電装置タイプ検出用プログラム。
【０１１３】
（付記１９）
付記１８に記載の給電装置タイプ検出用プログラムであって、
当該方法は、前記表示後にクラスを前記デフォルトのクラスから前記所定のクラスに変更するための入力があったならば、その入力に従って、前記給電装置と前記受電装置を前記所定のクラスで接続するために前記受電装置を再起動するステップを更に有することを特徴とする給電装置タイプ検出用プログラム。
【０１１４】
（付記２０）
付記１９に記載の給電装置タイプ検出用プログラムであって、
当該方法は、クラスを前記デフォルトのクラスと前記所定のクラスとの間で変更するための入力があったならば、その入力に従って、前記給電装置と前記受電装置を前記入力に従ったクラスで接続するために前記受電装置を再起動するステップを更に有することを特徴とする給電装置タイプ検出用プログラム。
【０１１５】
（付記２１）
付記１８乃至２０の何れか１に記載の給電装置タイプ検出用プログラムであって、
前記再起動は、前記給電装置から前記受電装置への供給電流についての過電流を発生させ、該過電流を前記給電装置に検出させ、該再起動時に前記受電装置から前記給電装置に対してクラスを指定することを含むことを特徴とする給電装置タイプ検出用プログラム。
【産業上の利用可能性】
【０１１６】
本発明は、給電装置のタイプを検出して、表示するために利用することができる。また、本発明は、給電のクラスを変更するためにも利用することができる。
【符号の説明】
【０１１７】
１１  給電装置（ＰＳＥ）
１２  受電装置（ＰＤ）
２１  ＬＡＮコネクタ
２２  ＬＡＮ  ＩＦ回路
２３  制御部
２４  演算部
２５  表示部
２６  外部入力部
２７、２９、３１  抵抗
２８、３０、  ３２  トランジスタ
３３  ＰｏＥ  ＩＦコントローラ
３４  電源回路
３５  バッテリー回路（バッテリー電源）
【図１】
0005360930.tif 000002
【図２】
0005360930.tif 000003